(57)【要約】【課題】従来のウインドワイパーは、ウインドワイパーを左右回動中、払拭された雨水等が遠心力によりウインドワイパーの遊端側先端部から外方向に流れ出て、この流れ出てしまった雨水等により視界が悪くなってしまう、という欠点があった。【解決手段】本発明のウインドワイパーは、ウインドウパネルの表面に摺接させて該ウインドウパネルを払拭させるリップ部を有するウインドワイパー本体と、上記リップ部の遊端側先端部の側面に設けた、上記リップ部の長手方向に交差する方向に伸びる凸状の雨水受け部とよりなることを特徴とする。また、上記凸状の雨水受け部の内側側面は、その基部から先端部に向かって、凹状に湾曲していることを特徴とする。【選択図】図１
2014012503.tif 000002
【特許請求の範囲】
【請求項１】
ウインドウパネルの表面に摺接させて該ウインドウパネルを払拭させるリップ部を有するウインドワイパー本体と、上記リップ部の遊端側先端部の側面に設けた、上記リップ部の長手方向に交差する方向に伸びる凸状の雨水受け部とよりなることを特徴とするウインドワイパー。
【請求項２】
上記凸状の雨水受け部の内側側面は、その基部から先端部に向かって、凹状に湾曲していることを特徴とする請求項１記載のウインドワイパー。
【請求項３】
上記雨水受け部は、上記リップ部の遊端側先端部の両側にそれぞれ設けたことを特徴とする請求項１または２記載のウインドワイパー。
【発明の詳細な説明】
【技術分野】
【０００１】
本発明はウインドワイパー、特に、車両のウインドウパネルの表面に摺接させて該ウインドウパネルを払拭するウインドワイパーに関するものである。
【背景技術】
【０００２】
車両にはウインドウパネルに付着した雨水等を払拭するためのワイパー装置が設けられている。図６は、従来のワイパー装置を示し、このワイパー装置１は、車両に固定されたピボット（図示せず）に支持されて左右回動するワイパーアーム２と、このワイパーアーム２の遊端部に支持されたワイパーブレード３と、このワイパーブレード３に固定された、車両のウインドウパネルに摺接するウインドワイパー４とよりなる。
【０００３】
そして、図７は、上記従来の車両のウインドワイパー４を示し、このウインドワイパー４は、上記ワイパーブレード３に固定具５を介して固定される長尺状のベース部６と、このベース部６に接続された、車両のウインドウパネルの表面に摺接して、このウインドウパネル表面の雨水等を払拭する長尺状のリップ部７とよりなる。
【０００４】
このような従来の車両用ワイパーとしては、例えば、特許文献１がある。
【先行技術文献】
【特許文献】
【０００５】
【特許文献１】実開平５−３２１８４号公報
【発明の概要】
【発明が解決しようとする課題】
【０００６】
しかしながら、上記従来のウインドワイパーは、図８又は図９に示すように、ウインドウパネル８上をウインドワイパー４を左右回動中、払拭された雨水等が遠心力によりウインドワイパー４の遊端側先端部４ａから外方向Ａに流れ出て、この流れ出てしまった雨水等により視界が悪くなってしまう、という欠点があった。なお、図中の矢印Ｂは、ウインドワイパー４の回動方向を示す。
【０００７】
本発明は、上記の欠点を除くようにしたものである。
【課題を解決するための手段】
【０００８】
本発明のウインドワイパーは、ウインドウパネルの表面に摺接させて該ウインドウパネルを払拭させるリップ部を有するウインドワイパー本体と、上記リップ部の遊端側先端部の側面に設けた、上記リップ部の長手方向に交差する方向に伸びる凸状の雨水受け部とよりなることを特徴とする。
【０００９】
また、上記凸状の雨水受け部の内側側面は、その基部から先端部に向かって、凹状に湾曲していることを特徴とする。
【００１０】
また、上記雨水受け部は、上記リップ部の遊端側先端部の両側にそれぞれ設けたことを特徴とする。
【発明の効果】
【００１１】
本発明によれば、上記リップ部の遊端側先端部と上記凸状の雨水受け部とにより挟まれた部分に雨水等を溜めるくぼみが形成されるので、ウインドワイパーの左右回動中においては、払拭された雨水等がウインドワイパーの先端の雨水受け部９にたまって、外方向に流れ出ず、ガラス面の視界を損なわないという利益がある。
【００１２】
また、凸状の雨水受け部の内側側面を凹状に湾曲させることにより、雨水等がたまるくぼみを確保しつつ、リップ部の遊端側先端部と雨水受け部との連結部分の厚みを増やすことができ、ウインドワイパーの左右回動中に、その連結部分がめくれ上がって、そこから、水が漏れるのを防ぐことができる。また、雨水受け部の先端が、ウインドワイパーの左右回動中に撓んでしまって、雨水受け部にたまった雨水等が外に漏れてしまうことも防止することができる。
【図面の簡単な説明】
【００１３】
【図１】本発明のウインドワイパーの要部の斜視図である。
【図２】本発明のウインドワイパーの要部の底面図である。
【図３】本発明のウインドワイパーの拡大側面図である。
【図４】本発明のウインドワイパーの他の実施例の要部の斜視図である。
【図５】本発明のウインドワイパーの他の実施例の拡大側面図である。
【図６】従来のワイパー装置の斜視図である。
【図７】従来のウインドワイパーの拡大側面図である。
【図８】従来のウインドワイパーの使用状態説明図である。
【図９】従来のウインドワイパーの他の使用状態説明図である。
【発明を実施するための形態】
【００１４】
以下図面によって本発明の実施例を説明する。なお、図１〜図５において図６〜図９に示すものと同一のものには同一の符号を付し、その説明は省略する。
【実施例１】
【００１５】
本発明のウインドワイパーは、図１〜図３に示すように、ベース部６とリップ部７とよりなるウインドワイパー本体９と、上記リップ部７の遊端側先端部７ａの両側にそれぞれ設けた、上記リップ部７の長手方向に直交する方向に伸びる凸状の雨水受け部１０とよりなる。
【００１６】
また、上記凸状の雨水受け部１０は、その内側側面１０ａにおいて、その基部から先端部に至るまで凹状に湾曲させる。
【００１７】
また、上記ウインドワイパー本体９と雨水受け部１０とは、例えば一体成形でゴム（ラバー）製やシリコーン製などで形成される。
【００１８】
本発明によれば、上記リップ部７の遊端側先端部７ａと上記凸状の雨水受け部１０とにより挟まれた部分に雨水等を溜めるくぼみが形成されるので、ウインドワイパーの左右回動中においては、払拭された雨水等がウインドワイパーの先端の雨水受け部１０にたまって、外方に流れ出ず、ガラス面の視界を損なわないという利益がある。
【００１９】
また、凸状の雨水受け部１０の内側側面１０ａを凹状に湾曲させることにより、雨水等がたまるくぼみを確保しつつ、リップ部７の遊端側先端部７ａと雨水受け部１０との連結部分の厚みを増やすことができ、ウインドワイパーの左右回動中に、その連結部分がめくれ上がって、そこから水が漏れるのを防ぐことができる。また、雨水受け部１０が、ウインドワイパーの左右回動中に撓んで、雨水受け部１０の凹部にたまった雨水等が先端部から外方向に漏れてしまうことも防止することができる。
【００２０】
なお、図４及び図５に示すように、上記雨水受け部１０は上記リップ部７の遊端側先端部７ａの一側面又は他側面のみに形成するようにしてもよい。
【符号の説明】
【００２１】
１    ワイパー装置
２    ワイパーアーム
３    ワイパーブレード
４    ウインドワイパー
４ａ  遊端側先端部
５    固定具
６    ベース部
７    リップ部
７ａ  遊端側先端部
８    ウインドウパネル
９    ウインドワイパー本体
１０  雨水受け部
１０ａ  内側側面
【図１】
2014012503.tif 000003
【図２】
2014012503.tif 000004
【図３】
2014012503.tif 000005
【図４】
2014012503.tif 000006
【図５】
2014012503.tif 000007
【図６】
2014012503.tif 000008
【図７】
2014012503.tif 000009
【図８】
2014012503.tif 000010
【図９】
2014012503.tif 000011
【手続補正書】
【提出日】平成25年1月15日(2013.1.15)
【手続補正１】
【補正対象書類名】特許請求の範囲
【補正対象項目名】全文
【補正方法】変更
【補正の内容】
【特許請求の範囲】
【請求項１】
ウインドウパネルの表面に摺接させて該ウインドウパネルを払拭させるリップ部を有するウインドワイパー本体と、上記リップ部の遊端側先端部の側面に設けた、上記リップ部の長手方向に直交する方向に伸びる凸状の雨水受け部とよりなり、上記凸状の雨水受け部の内側側面は、その基部から先端部に向かって、凹状に湾曲すると共に、上記雨水受け部の端面と内側側面とが鋭角状に連設されていることを特徴とするウインドワイパー。
【請求項２】
上記雨水受け部は、上記リップ部の遊端側先端部の両側にそれぞれ設けたことを特徴とする請求項１記載のウインドワイパー。
【手続補正２】
【補正対象書類名】明細書
【補正対象項目名】０００８
【補正方法】変更
【補正の内容】
【０００８】
本発明のウインドワイパーは、ウインドウパネルの表面に摺接させて該ウインドウパネルを払拭させるリップ部を有するウインドワイパー本体と、上記リップ部の遊端側先端部の側面に設けた、上記リップ部の長手方向に直交する方向に伸びる凸状の雨水受け部とよりなり、上記凸状の雨水受け部の内側側面は、その基部から先端部に向かって、凹状に湾曲すると共に、上記雨水受け部の端面と内側側面とが鋭角状に連設されていることを特徴とする。
【手続補正３】
【補正対象書類名】明細書
【補正対象項目名】００１６
【補正方法】変更
【補正の内容】
【００１６】
また、上記凸状の雨水受け部１０は、その内側側面１０ａにおいて、その基部から先端部に至るまで凹状に湾曲させると共に、上記雨水受け部の端面１０ｂと内側側面１０ａとを鋭角状に連設させる。
【手続補正４】
【補正対象書類名】図面
【補正対象項目名】図２
【補正方法】変更
【補正の内容】
【図２】
2014012503.tif 000012